(57)【特許請求の範囲】
【請求項１】
前方ウエスト領域と、後方ウエスト領域と、前方ウエスト領域と後方ウエスト領域との間のクロッチ領域と、シャシと、一対のサイドパネルと、スペーサ手段とを有し、前記シャシは、液体透過性トップシートと、トップシートに接続された液体不透過性バックシートと、トップシートとバックシートとの間に配置された吸収コアとを有し、前記サイドパネルは、近位縁と、近位縁から側方に間隔を置いた遠位縁と、第１セグメントと、第２セグメントとを有し、第２セグメントは、前記遠位縁と、前記遠位縁と前記近位縁の中間に位置する少なくとも１つの折曲線とを有し、前記スペーサ手段は、前記各サイドパネルに作動的に結合され、少なくとも前記クロッチ領域において前記トップシートから前記遠位縁を離すようにした着用者に適合するタイプの吸収材製品において、
前記第１セグメントは、前記折曲線が前記近位縁の内側に配置されるように前記前方ウエスト領域のみにおいて前記トップシートの上を内側に折り曲げられ、
前記第２セグメントは、前記遠位縁が前記前方ウエスト領域において前記折曲線の外側に配置されるように前記第１セグメントの上に折り返えされ、
前記サイドパネルは、前記シャシから側方外側に伸びる前記トップシート及び前記バックシートの一部から形成されるかまたは前記シャシに接続された別の部材であることを特徴とする使い捨て吸収材製品。
【請求項２】
前記第１セグメントが、前記近位縁を有することを特徴とする請求項１に記載の吸収材製品。
【請求項３】
前記第１セグメントの一部を前記トップシートに固定する第１閉鎖手段が前記前方ウエスト領域に配置されたことを特徴とする請求項１または２に記載の吸収材製品。
【請求項４】
前記各サイドパネルは、前記近位縁を有し前記シャシから側方外側に伸びる第３セグメントを有することを特徴とする請求項１に記載の吸収材製品。
【請求項５】
前記サイドパネルは、前記トップシートに接続された別の部材から形成され、前記サイドパネルは、前記近位縁を有し前記シャシから側方外側に伸びる第３セグメントと、前記折曲線の内側に配置された第４セグメントとを有し、前記第４セグメントは、自由端と、前記トップシートに接続された取付端部と、前記自由端が少なくとも前記クロッチ領域において前記トップシートから間隔を置くように前記自由端に隣接配置されたスペーサ手段とを有することを特徴とする請求項１に記載の吸収材製品。
【請求項６】
前記各サイドパネルの後方ウエスト領域に結合されサイドパネルから外側に伸びるイヤフラップを有することを特徴とする請求項１に記載の吸収材製品。
【請求項７】
前記イヤフラップは、吸収材製品の前方ウエスト領域に永久的に固定されてパンツを形成することを特徴とする請求項６に記載の吸収材製品。
【請求項８】
前記サイドパネルの前方ウエスト領域に結合されサイドパネルから外側に伸びる前方ウエスト領域イヤフラップを有することを特徴とする請求項１乃至７のいずれか１項に記載の吸収材製品。
【発明の詳細な説明】
発明の分野
本発明は、使い捨ておむつ、失禁用パンツ、下着吸収材インサート、婦人用生理用品のような吸収材製品に関し、さらに詳細には、着用者に適合するために吸収材製品の収容特性及び適合性を改良する障壁カフを提供するために曲がるサイドパネルを有する吸収材製品に関する。
発明の背景
使い捨ておむつ及び失禁用ブリーフまたは下着のような吸収材製品の主な機能は、身体の排泄物を吸収し、収容することである。このような製品は、衣服または着用者と接触するベッドシーツのような他の製品を身体の排泄物が汚すことを防止するようになっている。身体の排泄物が吸収材と着用者の足または腰の間の空隙から隣接した衣服に漏れ出すときにこのような製品における最もよく起こる共通のモードが生じる。なぜならば、それらは、吸収材製品にはすぐには吸収されず、吸収材製品は、着用者に良好に適合するように保持することはできず、その結果、空隙が形成され、排泄物が吸収材製品から漏れ出すからである。例えば、尿はそれが吸収されるよりもさらに迅速にトップシートにたまる傾向があり、従って、尿が吸収材製品の空隙に尿が染み込み、そこで衣服または他の製品に接触して、これらの製品に吸収される。さらに、吸収材製品によって容易には吸収されない緩い便は、液体受容面で浮き、着用者の足または腰で空隙を越えるように移動する。
現在、使い捨ておむつは、トップシートと、バックシートと、吸収コアと、吸収コアの縁部を越えて伸びている連続したトップシートとバックシートに包囲された弾性部材から形成されている弾性レグフラップとを有する。これらの弾性レグフラップは、おむつの縁部に接触する衣服におむつの液体が染みだし逆流することを防止するのに有効であることが証明され、弾性レグフラップは、おむつの縁部と接触する衣服の間の液体不透過性の障壁を提供し、さらに、足の周りの密封を維持し、空隙を最小限にするために着用者の足の周りでガスケット作用を行う。しかしながら、おむつの周縁に沿った漏れは依然生じる。おむつが長期間にわたって着用されるとき、着用者に対する最初の適合を劣化させるようにおむつに力が作用する傾向がある。足と腰のおむつの大きな空隙とおむつの下がりは適合における劣化によって形成される。よって、トップシートに液体がたまると、液体のある部分は、トップシートを通って直ぐには吸収されず、おむつの縁部に向かってしみ出し、おむつの空隙を通ってまたはそれを越えて漏れ出し衣服に接触する。
使い捨ておむつは、緩い便また尿または液体の噴出が着用者の衣服を汚すことを防止する障壁カフを備えている。障壁カフはこのような排泄物の自由な流れを抑制し、おむつのトップシートで自由に浮きまたは流れ、おむつ内に収容されるようにおむつ内にこのような物質を保持する構造を提供する。このような物質を収容する際、このような構造の有効性にもかかわらず、液体が障壁カフを越え、着用者の衣服を汚すこのが分かった。なぜならば、このおむつの構造は、着用者へのおむつの維持された適合を推進しないからである。さらに、障壁カフは、着用者に最適には適用されず、最初の適合が達成されず、適合の維持が悪くなる。
特許文献に説明されたいくつかの使い捨ておむつ及び吸収材製品の例は、次のようである。
１９７６年１月３１日にロバートＣ．ダンカンに付与された米国特許第Ｒｅ２６，１５１号（１９６５年４月２７日米国特許第３，１８０，３３５号）は、内側におられたサイドフラップと、おむつの吸収パッドの面を越えてサイドフラップの内側に覆われた縁部の端部を所定の位置に固定する手段とを有する使い捨ておむつを示している。
１９８５年１月２４日にケネスバークレーブエルに発行された米国特許第３，８６０，００３号は、使い捨ておむつの収縮可能な側方部分を示している。このようなおむつは、外側に伸びるサイドフラップと、足の周りにシールを形成する弾性部材とを有する。
１９８４年１２月２５日にベッケストロムに付与された米国特許第４，４９０，１４８号は、両端がバックシートに固定された内側に折られ、弾性自由縁部を有するサイドフラップを有する失禁ブリーフまたはおむつを示している。ベッケストロムの特許は、サイドフラップがクロッチ領域に固定されていないダンカンの内容に従う。ベッケストロムは、吸収コアのウエスト縁部の後ろのサイドフラップの両端で固定点を配置し、それらをバックシートの下の部分に固定する。
１９９０年１０月２３日にギブソン等に付与された米国特許第４，９６４，８６０号は、曲がったサイドパネルを有する使い捨てエレメントを有する着脱可能な２つの吸収材製品を示している（第２図参照）。使い捨てエレメントは、着用者の腰に組立体を保持する再固定可能なベルトに一時的に固定される。
１９９２年２月１１日にブレットＡに付与された米国特許第５，０８７，２５５号は、腰の拘束及び適合を改良する屈曲した障壁レグカフを有する吸収材製品を示す。この吸収材製品は有効であるが、製造上経済的ではない。障壁レグカフは吸収コア、バックシート及びトップシートとは独立して製造され、製造方法の一部としてトップシートに配置され固定されなければならない。
従って、本発明の目的は、シムスの特許に示された曲った障壁カフの改良された拘束特性と、ギブソン等の２つの部品の下着を有するが製造及び使用にさらに有効で便利である吸収材製品を提供することである。
本発明の他の目的は、本発明の身体の漏れに対して拘束材として作用する屈曲した障壁カフを有する吸収材製品を提供することである。
本発明の他の目的は、おむつの適用の変化において感度を小さくし、適合性を改良することによって着用者に容易に適合し、さらによい収容を促進する吸収材製品を提供する。
本発明の他の目的は、おむつを着用するとき、着用者に対して皮膚になじんだ表面を提供する屈曲した障壁カフを有する吸収材製品を提供することである。
本発明のこれら及び他の目的は、次の説明を参照して考慮し、添付図面に関連してとられるときさらに容易になる。
発明の概要
本発明は、現在市販されている製品よりも製造及び使用においてさらに便利で経済的な吸収材製品の適合性及び収容性を改良する障壁カフを有する、使い捨ておむつ、失禁ブリーフ、おむつホルダ、訓練用パンツ、生理用下着等のような吸収材製品を提供する。本発明の吸収材製品は、前方ウエスト領域と、後方ウエスト領域と、クロッチ領域と、液体透過性トップシートと、前記トップシートに接続された液体不透過性バックシートと、トップシートとバックシートとの間に配置された吸収コアと、トップシート、バックシートまたはその双方の延長部から形成された一対のサイドパネルとを有する。サイドパネルの各々は、近位縁、遠位縁、第１のセグメント、第２のセグメントを有し、前方ウエスト領域からクロッチ領域を通って後方ウエスト領域に長手方向に伸びている。サイドパネルは、さらに前記クロッチ領域において、各サイドパネルの遠位縁に隣接して配置されたスペーサ手段を有する。
第１のセグメントは、前記折曲線が前記近位縁の内側に配置されるように前記ウエスト領域の前記トップシート上に内側に折り曲げられる。第２のセグメントは、遠位縁が、前方ウエスト領域の折曲線の外側に配置されるように第１のセグメント上に外側に折り返され、前記遠位縁は、着用者に適合されるとき、前記サイドパネルが前記前方のウエスト領域に関して前記後方のウエスト領域で反転するように前記後方ウエスト領域の吸収材製品の下の構造には固定されていないことが好ましい。よって着用者に適合されたときに、サイドパネルはそれらの長さに沿って曲がる。これは、クロッチ領域の“動きの少ない領域”で直立形状に着用者の尻の周りできちんとしたガスケット適合をするようにサイドパネルを移行する。
着用者のクロッチ領域の動きのない部分に配置された結果“屈曲した障壁カフは、使用時にわたって改良された適合性及び収容特性を提供する。さらに、サイドパネルのＺ形状に折れ曲がった形状は、屈曲した障壁カフの長さにわたって着用者に対して皮膚に優しい表面を提供する。
【図面の簡単な説明】
明細書は、本発明を構成すると考慮される主題を明確に指摘し権利請求する請求の範囲で終結しているが、同じ参照符号は同じ部品を支持するために使用される添付図面と関連して説明される次の説明からさらに明らかになる。
第１図は、下の構造を明らかにするように一部を破断して表し、おむつの身体に面する面が見るものに向いている本発明の１つの実施例の斜視図である。
第２図は、第１図の断面線２−２に沿った部分断面図である。
第３図は、第１図の断面線３−３に沿った部分断面図である。
第４図は、第１図の断面線３−３に沿った本発明の他の実施例の部分断面図である。
第５図は、後方のウエスト領域にイヤフラップを有し、おむつの身体に面する面が見るものに面しているように示された使い捨ておむつの斜視図である。
第６図は、前方のウエスト領域のイヤフラップを有する本発明の他の実施例の斜視図である。
第７図は、ベルトを有する本発明の他の実施例の斜視図である。
第８図は、再使用可能なベルトを有する本発明の他の実施例の斜視図である。
第９図は、前方及び後方のウエスト領域に取付装置を有し、おむつの下着に面する面が見るものに面しているように示された本発明の他の実施例の斜視図である。
第１０図は、着用された形状の本発明の他の実施例の概略図である。
第１１図は、断面線１１−１１に沿った第１図に示すおむつの他の実施例の部分断面図である。
発明の詳細な説明
ここに使用するように、用語の“吸収材製品”は、身体の排泄物を吸収し、それを収容する製品を言い、身体から排出された種々の排泄物を吸収し、収容するために着用者の身体に対してその近傍に配置された製品を言う。吸収材製品は、通常、再使用可能か、または使い捨て可能かどうかによって区別される。“使い捨て”は一回使用した後に廃棄される製品を言う（すなわち、それらは、選択されるか、または復元するかまたは再使用することが意図されていない）。本発明の吸収材製品は、好ましくは使い捨て可能な吸収材製品である。吸収材製品は、それらが別の取り扱い部品を必要とすることのないように“一体”であるかどうか、またはそれらが別のホルダ及びライナのようなおむつ装置の部品を有するかどうかによって定義される。本発明の吸収材製品は、好ましくは一体である。本発明のおむつ２０の一体の使い捨て吸収材製品の好ましい実施例は、第１図で示されている。ここに使用されている用語の“おむつ”は、着用者の下胴の周りで幼児及び失禁者に全体が着用される下着を言う。しかしながら、本発明は、失禁用ブリーフ、下着吸収材インサート、使い捨て訓練用パンツ、ベルト付おむつ、おむつホルダ、生理用ナプキン等のような他の使い捨て吸収材製品にも適用可能であることは理解すべきである。
第１図は、広がって収縮されない状態（すなわち、すべてが弾性誘導収縮プルアウト）での本発明のおむつ２０の平面図であり、おむつの構造をさらにはっきりと示すために構造の一部が破断され、着用者に接触するおむつ２０の部分が見る者に向いている。おむつ２０は、（第１図で見る者に面する）身体に面する面４０と、身体に面する表面に対向する下着に面する表面４１と、前方ウエスト領域２２と、後方ウエスト領域２４と、クロッチ領域２６と、長手方向の縁部が参照符号３０で、また端縁が参照符号３２で指定されるおむつ２０の外縁によって定義される周縁とを有する。ウエスト領域は着用したときに、着用者の腰を包囲するおむつ２０の部分を有する。このウエスト領域は、それらが着用者のウエスト領域の周りでギャザーを形成するように弾性エレメントを有する。クロッチ領域２６は、前方のウエスト領域２２と後方のウエスト領域２４との間に配置されたおむつ２０の部分であり、着用したときに着用者の足の間に配置され、着用者の下胴をカバーする。またおむつ２０は、参照符号３４で指定された横方向の中心線と、参照符号３６で指定された長手方向の中心線を有する。
おむつ２０は、液体透過性トップシート３８と、（第２図及び第３図に示す）内面２３及び内面２３とは反対の外面２８を有する液体不透過性バックシート４２と、側縁５０及びウエスト縁部５２である側縁を有する吸収コア４４と、各々が近位縁６４、遠位縁６６、近位縁６４と遠位縁６６との中間の折曲線６５を有するサイドパネル６２と、第１の端部７２と、第２の端部７４と、第２のセグメント９２（及び可能である場合には、第４図に示す第３のセグメント）、身体に面する面４０から遠位縁６６を離す弾性部材７７のようなスペーサ手段７６と、おむつ２０のトップシート３８上に第１のセグメントの少なくとも一部を固定する第１の閉鎖手段７８と前方ウエスト領域２２の第１のセグメント９０に第２のセグメント９２の少なくとも一部を固定する第２の閉鎖手段７９とを有する。この構成において、折曲線６５は近位縁６４と遠位縁６６の双方の内側に配置されている。（ここに使用するように、用語の“内側”はおむつ２０の長手方向の中心線３６に向かう方向として定義される。用語“外側”は、おむつ２０の長手方向中心線３６から離れる方向として定義される。）
バックシート４２が吸収コア４４の長さと幅の寸法より大きい寸法を有するおむつ２０の好ましい実施例において、バックシート４２は、吸収コア４４の縁部を越えて伸び、それによっておむつ２０の周縁及びサイドパネル６２を形成する。周囲は外周または、言い換えれば、おむつ２０の縁部を形成する。周囲は長手方向の縁部３０及び端縁３２を有する。第１図に示すように、トップシート３８は、おむつ２０の端縁３２並びに長手方向の縁部３０に沿ってバックシート４２に隣接している。各サイドパネル６２の遠位縁６６は、後方のウエスト領域２４におむつ２０の長手方向の縁部３０を画定している。遠位縁６６は、クロッチ領域２６または後方のウエスト領域２４のおむつ２０の下の部材には固定されない。
第２図は、第１図の線２−２に沿って切った部分断面図であり、トップシート３８と、バックシート４２と、吸収コア４４と、スペーサ手段７６とを有する好ましい構造を示している。吸収コア４４は、トップシート３８とバックシート４２との間に配置され、トップシート３８及びバックシート４２は、吸収コア４４の側縁５０を越えて伸びており、サイドパネル６２を形成する。好ましい実施例において、トップシート３８は接着剤ビード３５によって遠位縁６６に沿ってバックシート４２に固定されている。好ましくは、接着剤３７の層は後に説明するようなバックシートに吸収材コア４４を固定するために使用される。複数の弾性部材７７のようなスペーサ手段７６は、好ましくは少なくともクロッチ領域２６に各サイドパネル６２の遠位縁６６に隣接して結合されている。好ましい実施例において、弾性取付装置８６は、弾性部材をおむつ２０に結合する。遠位縁６６は弾性部材７７の弾性ギャザー作用によって少なくともクロッチ領域２６でトップシート３８の身体に面する面４０から離れるように間隔をおいている。各サイドパネル６２の近位縁６４と遠位縁６６との間に通路８８が形成されている。第３図は、第１図の線３−３に沿った部分断面図であり、前方ウエスト領域２２のサイドパネル６２の好ましい構造を示す。トップシート３８及びバックシート４２は、吸収コア４４の側縁を越えて伸びサイドパネル６２を形成する。第３図に示すように、第１のセグメント９０は、少なくとも前方のウエスト領域２２でトップシート３８上に（長手方向中心線に向かって）内側に折られることが好ましい。第２のセグメント９２は、トップシート３８上で（長手方向中心線から離れるように）外側に折られることが好ましい。これは、少なくとも前方のウエスト領域２２のサイドパネル６２の近位縁６４と遠位縁６６の中間に折曲線６５を形成する。さらに、この“Ｚ折曲げ”形状は、各サイドパネルの長さにわたって着用者に対して皮膚に優しい表面を提供する。
好ましい実施例において、第１のセグメント９０の少なくとも一部は、第１の閉鎖手段７８によって近位縁６４と折曲線６５の中間の下の構造（トップシート３８）に固定される。折曲線６５と遠位縁６６との中間の第２のセグメント９２の少なくとも一部は、第２の閉鎖手段７９によって下の構造（第１のセグメント９０のバックシート４２）に固定される。従って、折曲線６５は前方ウエスト領域２２で閉鎖され（すなわち、それは解放しないか、または身体に面する表面４０から間隔を置いて離れることができない）また、サイドパネル６２のトップシート３８は、おむつ２０を着用するときにそれが着用者と接触するような所定の位置に設けられる。第４図に示すような他の実施例において、各サイドパネル６２は、近位縁６４を有する第３のセグメント９４を有する。このような形状において、第１の閉鎖手段７８は、第３のセグメント９４上に第１のセグメント９０の少なくとも一部を固定し、第２の閉鎖手段７９は、第１のセグメント９０上に少なくとも第２のセグメント９２の一部を固定する。
吸収コア４４は、圧縮可能で、柔軟であり、着用者の皮膚に刺激がなく、液体及びある身体の排泄物を吸収し、それを保持することができる吸収材料である。吸収コア４４は、広範な種々の寸法及び形状（例えば、矩形、砂時計、非対称形等）及びエアフェルトと称される細かくされた木材のような、使い捨ておむつ及び他の吸収材製品に通常使用される広範な液体吸収材料から製造することができる。他の適当な吸収材料の例は、クリープセルロースワッディング、吸収材フォーム、吸収剤スポンジ、超吸収ポリマー、吸収材ゲル材料またはその組み合わせまたは等価材料または材料の組み合わせを有する。しかしながら、吸収材コア４４の全体の吸収性能は、設計された排泄物負荷及びおむつ２０の用途と互換性がある。さらに、吸収コア４４の吸収性能は、幼児から大人までの範囲の着用者を受け入れるために変化する（例えば、吸収コアは変化する厚み、親水性勾配、厚みの差、低い密度領域を有するか、または吸収材ゲル材料を含むか、または含まない。）
吸収コア４４は、１９８６年９月９日にポールＴ．ワイズマン及びスチーブンＡゴールドマンに付与された高密度吸収材構造と題され、参照によりここに組み込まれている米国特許第４，６１０，６７８号に示された親水性繊維及び吸収材構造に示されたような吸収材ゲル材料（ヒドロゲル）の粒子を有する吸収材材料の層を有する。吸収コア４４の好ましい実施例は、１９９３年８月１０日にアレメニー等に付与された“弾性ウエスト部及び向上した吸収性”と題された米国特許第５，２３４，４２３号、１９９３年６月８日にヤング等に付与された“超吸収材料及びウエットレイドスティフェン繊維のウエブと題された米国特許第５，２１７，４４５号に全体が示されている。本発明に有効な他の例示的な吸収コアは、１９９２年６月２３日にロウ等に付与された“多孔性吸収材、ポリマーマクロ構造及びその製造方法”と題された１９９２年８月１１日にヘロン等に付与された“個別化されたポリカルボキシル酸、架橋結合された木材パルプセルロース繊維”と題された米国特許第５，１３７，５３７号、１９９３年１月１９日にベルグ等に付与された“インターパーチキュル架橋結合集合体”と題された米国特許第５，１８０，６２２号、１９９３年９月９日にデスマラス等に付与された水のような身体の液体の吸収材フォーム材料及びこのような材料を含む吸収材粒子”と題された吸収材材料、６月１６日にポール．Ｔ．ワイズマン、ドーンＩ．ホートン及びダイルＡゲラートに付与された“二重層のコアを有する吸収材”と題された米国特許第４，６７３，４０２号、“迅速に獲得する複合層の吸収コアを有する吸収材コア”と題された１９９２年７月２３日に発行されたＰＣＴ国際公開ＷＯ９２／１１８３０号がある。これらの特許及び刊行物のすべては、参照によりここに組み込まれている。
バックシート４２は着用者から面が離れる方向の表面に隣接する吸収コア４４に隣接して配置され、この技術分野でよく知られているようなコア取付装置３７によってそれに固定されることが好ましい。例えば、バックシート４２は、接着剤の一様な連続層、接着剤のパターン化された層、分離線の配列または接着剤の点によって吸収コア４４に固定される。十分であると分かっている接着剤は、セントポールミンスターのＨ．Ｂ．フュラー社によって製造され、ＨＬ−１２５８として市販されている。好ましくは、コア取付装置は、１９８６年３月４日にＪ．Ａ．ミネトラ及びデビッドＲ．タッカに付与された“使い捨てウエスト収容下着”と題された米国特許第４，５７３，９８６号に示されているような接着剤のフィラメントのオープンパターンを有する。フィラメントの開放パターンのネットワークの取付装置は、１９７５年１０月７日にスプラーゲに付与された米国特許第３，９１１，１７３号、１９７８年１０月２２日にツエックラーに付与された米国特許第４，８４２，６６６号に示されているようなパターンに巻かれた接着剤フィラメントのいくつかのラインを有する。別の例として、取付装置は、熱結合、圧力結合、超音波結合、動的な機械的な結合または他の適当な取付装置または従来の技術分野で知られているこれらの取付装置の組み合わせを有する。
バックシート４２は、液体不透過性であり、薄いプラスティックフィルムから製造されることが好ましいが、他の可撓性液体不透過性材料も使用することができる。バックシート４２は、吸収コア４４に吸収され収容された排泄物がベッドシーツ及び衣服のようなおむつ２０に接触する製品を濡らすことを防止する。さらに、バックシート４２は、吸収コア４４から蒸気が逃げるが、バックシート４２を通過することを防止する。バックシート４２は、例えば、ポリエチレンまたはポリプロピレンまたはフィルムコート不織布のような複合材料の熱可塑性フィルムのような織物または不織布を有する。別の例として、バックシート４２は、不織布の層がポリマーフィルムの寸法を越えて伸びる実施例を含む不織布層の薄層とポリマーフィルムを有する。例示的なバックシート４２は、約０．０１２ｍｍ（０．５ミル）乃至約０．０５１ｃｍ（２．０ミル）の厚さを有するポリエチレンフィルムである。ここに使用するような、用語の“可撓性”は、柔軟で人間の身体の全体形状及び輪郭に容易に適合する材料を言う。適当なポリエチレンフィルムは、ＩＮ州テレホーテのトレデルガフィルム製品社によって製造され、テレッデルガＸ８５２６として市販されている。バックシート４２はさらに布状の外観を呈するようにするためにエンボス仕上げ及び／またはマット仕上げされている。
トップシート３８は、柔軟で柔らかい感じで着用者の皮膚に刺激のないものである。さらに、トップシート３８は、液体がその厚さを容易に通過することができる液体透過性である。適当なトップシートは、多孔性フォーム、レチキュレーテドフォーム、フォームフィルム、有孔性プラスティックフィルム、天然繊維（例えば、木または木綿繊維）、合成繊維（例えば、ポリマーまたはポリプロピレン繊維）または天然及び合成繊維の組み合わせから製造される。トップシート３８を製造するために使用することができる多数の製造技術がある。例えば、トップシート３８は、織物、不織布、スパンボンド加工、カード加工されたものである。１つの好ましいトップシート３８は、マサチューセッ州、ワールポールの国際製紙会社の一部門であるベラテック社によって製造されるＰ−８のような約２．２デニールのステープル長のポリプロピレン繊維である。ここに使用するような、“ステープル長さの繊維”は、少なくとも約１５．９ｍｍ（０．６２５インチ）の長さを有する繊維を言う。好ましいトップシートは、この技術分野でよく知られている方法によってカード加工、及び熱結合される。
好ましい実施例において、トップシート３８は、着用者の皮膚を吸収コア４４から隔離するために疎水性材料から製造される。もしトップシート３８が、疎水性材料から製造される場合には、トップシート３８の少なくとも上面は、液体がトップシート３８を通ってさらに容易に通過するように親水性に処理される。これは、身体の排泄物がトップシート３８を通って引かれ、吸収コア４４によって吸収されずにトップシート３８から流れ出る可能性を低減する。トップシート３８は、トップシートに表面活性剤をスプレーするか、またはトップシート３８を表面活性剤に浸けることによってそれを親水性に処理することができる。このような処理のさらに詳細な説明は、１９９１年１月２９日にライジング等に付与された“複数層の吸収材層を有する吸収材製品”と題された米国特許第４，９８８，３４４号及び１９９１年１月２９日にライジングに付与された“迅速に獲得する吸収コアを備えた吸収材製品”と題された米国特許第４，９８８，３４５号に含まれており、その各々は、参照によりここに組み込まれている。
トップシート３８及びバックシート４２は、おむつ製造技術分野でよく知られている方法で一緒に結合されている。ここに使用するような、用語の“結合”は、トップシート３８をバックシート４２に直接固定することによってトップシート３８をバックシート４２に直接結合する構成と、トップシート３８をバックシート４２に固定されている中間の部材に固定することによってトップシート３８をバックシート４２に間接的に結合する構成とを含む。好ましい実施例において、トップシート３８及びバックシート４２は、この技術分野で知られているような接着剤または他の任意の取付装置のような取付装置３８によっておむつの周囲に互いに直接結合される。適当な取付装置は、バックシート４２に関して前述した。
おむつ２０は、おむつ２０の身体に面する面４０に沿って身体の排泄物が自由に流れることを拘束し、おむつ２０内にこのような排泄物を保持し収容する構造を提供する。よって、サイドパネル６２が吸収コア４４の身体に面する面４８上に折り曲げられる前方のウエスト領域において、サイドパネル６２は、トップシート３８上にたまった液体が吸収コア４４を越えて染み出すことを防止する。これは、吸収コア４４によってすぐには吸収されない液体が、おむつ２０から漏れ出す領域からその領域に浸透する前に吸収されることを保証する。クロッチ領域２６において、サイドパネル６２は着用者の“動きの小さい”領域に直立し、おむつ２０を着用したときに、着用者の身体に適合して身体の排泄物をよく収容する液体不透過性障壁カフを提供する。後方のウエスト領域２４において、サイドパネル６２は、漏れを生じる空隙を防止する助けとなる着用者の尻の周りでガスケット作用を行う。
各サイドパネル６２は、近位縁６４と、遠位縁６６と、近位縁６４と遠位縁６６との中間に折曲線６５と、少なくとも第１のセグメント９０と、第２のセグメント９２とを有する可撓性部材である。各サイドパネル６２はトップシート３８と、バックシート４２と、またはその双方の部分を有する。さらに、サイドパネル６２は、おむつ２０のエレメントと一体的であるか、または吸収材製品に結合された別の部品であってもよい。
サイドパネル６２の遠位縁６６は、（サイドパネル６２が折り曲げられ、前方のウエスト領域２２のトップシート３８に結合される前に）広がった状態にあるとき、吸収コア４４から半径方向外側に間隔を置いているサイドパネル６２の部分である。近位縁６４は、吸収コア４４のサイド縁部５０に隣接して配置されたサイドパネル６２の部分である。（サイドパネル６２が広がった形状にあるとき、近位縁６４は遠位縁６６から半径方向内側に間隔を置いている。）各サイドパネル６２の遠位縁６６は、少なくとも後方ウエスト領域２４、好ましくは、後方ウエスト領域２４及びクロッチ領域２６の双方においておむつ２０の下の部材に固定されないことが好ましい。遠位縁６６はおむつ２０の収容性を向上するように（第２図に示すような）溝８８を形成するようにクロッチ領域２６の身体に面する面４０から間隔を置いていることが好ましい。ここに使用するような“間隔を空ける”は、遠位縁６６が幾度か身体に面する面４０に隣接した位置を占めることを含む身体に面する面４０に関して１つまたはそれ以上の位置をとる実施例を含む。第１図に示すような、好ましい実施例において、各サイドパネル６２の折曲線６５は、排泄物の流れに対してさらに有効な障壁を呈するように前方のウエスト領域２２の近位縁６４の側方内側に配置される。折曲線６５は、それらの転置を除去するように第１の閉鎖手段７８によって前方のウエスト領域２２の近位縁６４の内側に維持されることが好ましい。
第１図を参照すると、折曲線６５は、前方ウエスト領域２２で互いに側方に間隔を置いて離れていることが好ましい。しかしながら、折曲線６５の間の横の空隙は前方ウエスト領域２２の近位縁の幅まで横方向に間隔を置くように互いに当接するように互いに交差している。よって、第１図に示すような好ましい実施例において、遠位縁６６は、約−２５ｍｍ（−１インチ）（オーバーラッピング縁部）から約１５０ｍｍ（６インチ）まで横方向に間隔を置いている。好ましくは、折曲線６５は、サイドパネルが着用者の外側のももに沿って乗ることがよりも着用者の最も内側の足のしわに適合するように間隔を置いて離れている。
折曲線６５は、第１図に示すように互いに平行に前方のウエスト領域２２でおむつ２０の端縁に直角に配置される。これは好ましいが、別の例として折曲線６５が端縁３２には非直角に配置されるように互いに向かうようにまたはそこから離れるように好ましくは互いに向かうような角度を形成していてもよい。端縁３２に対してサイドパネル６２を傾斜させることによって、サイドパネル６２が使用中にクロッチ領域で身体に面する表面４０から間隔を保持する際に補助することができる。
端縁６６は、クロッチ領域２６で互いにから横方向に間隔を置いていることが好ましい。遠位縁６６の側方の空隙は、身体の排泄物、特に尿がおむつ２０から漏れ出すことを防止するためにクロッチ領域２６で特に重要である。もし、遠位縁６６が互いにあまり接近している場合には、サイドパネル６２は排泄物がサイドパネル６２上に直接たまり、おむつ２０の縁部に流れるように排泄物がたまる面積を小さくする。
各サイドパネル６２の遠位縁６６は、おむつ２０が広がって収縮しない状態にあるとき、おむつ２０の後方のウエスト領域で各近位縁の横方向外側に配置されることが好ましい。よってサイドパネル６２は、おむつ２０が広がった状態にあるとき、後方のウエスト領域２４で横方向外側に伸びている。サイドパネル６２の側方に伸びている部分は、おむつの適用にあまりよい感度を有しないさらによい収容を推進し、着用者の尻の周りの輪郭への適合を維持する。
折曲線６５が前方のウエスト領域２２の近位縁６４の内側に配置されるので、遠位縁６６は、後方のウエスト領域２４の近位縁６４の外側に配置され、遠位縁６６は、おむつ２０が着用者に適合されるときにその長さに沿って“曲がる”。この曲がりは、さらによい収納を行うようにクロッチ領域２６の“動きのない”領域で直立するために尻の周り（側方及び外側に伸びる部分）できちんと適合するようにサイドパネル６２を動かす。その結果としての“屈曲した障壁カフ”は、着用者に容易に適合され、サイドパネル６２の適合が、少なくとも後方のウエスト領域２４の着用者の尻の周りできちんとした適合によってクロッチ領域２６の動きのない領域にあることを保証する。（しかしながら、サイドパネル６２が“ｚ形状に折り曲げられ”前方のウエスト領域２２及び後方のウエスト領域２４の双方の下のエレメントに固定される実施例も考慮される。このような構成において、サイドパネル６２はクロッチ領域２６の下の構造には固定されないことが好ましい。これによって空隙装置７６が着用者のクロッチ領域の着用者の皮膚に対してサイドパネル６２の遠位縁６６を配置し、クロッチ領域の漏れに対して有効な障壁カフを形成することができる。）
曲がった障壁カフが、身体の排泄物、特に緩い便の漏れを防止するきちんとした適合を維持することができるように着用者の尻の周りでガスケット作用を行うことができ、また、溝８８に沿っておむつ内で身体の排泄物を収容し拘束し保持するためにクロッチ領域２６と前方のウエスト領域２２で直立障壁カフを提供することが分かった。しかしながら、もし、サイドパネル６２がサイドパネル６２の長さに沿って前方のウエスト領域２２に向かってあまりに“フリップアウト”する場合には、身体の排泄物はサイドパネル６２上を流れる傾向がある。よって、屈曲した障壁カフは、使用中におむつ２０の長さの約５０％未満、さらに好ましくは、おむつ２０の長さの約４０％未満、最も好ましくは、後方のウエスト領域２４にのみきちんとした適合を行う（すなわち、障壁カフのフリップアウト部分が配置される）ように、着用者の尻の周りでガスケット作用を行うことが好ましい。（フリップアウト部分の百分率の長さはおむつ時間の全体１００％によって分割されたサイドパネルがフリップアウトしているおむつの長さとして定義される。）よって、サイドパネルの直立部分（近位縁６４の内側に配置された遠位縁６６）が使用中に、おむつの長さの少なくとも約５０％，好ましくは、おむつの長さの少なくとも約６０％、最も好ましくは、前方ウエスト領域２２からクロッチ領域２６に設けられることが好ましい。
サイドパネル６２のフリップアウト部分は、多数の異なる方法でおむつ２０の長さの約５０％未満に維持することができる。例えば、第１の閉鎖手段７８は、長手方向に伸びることができ、これは、おむつ２０の長さの約５０％未満に維持されることを保証する。
閉鎖されたサイドパネル６２の第１の端部７２を固定するために第１の閉鎖手段７８及び第２の閉鎖手段７９が第３図に示されている。閉鎖手段７８及び７９は、サイドパネル６２の折曲線６５及び遠位縁６６を適当な位置に固定することによって曲がった障壁カフを形成するために着用者にさらに心地よい適合を行う。好ましい実施例において、閉鎖手段７８及び７９が前方のウエスト領域２２に配置される。好ましくは、閉鎖手段７８及び７９の長さは、約２５ｍｍ（１インチ）乃至約１００ｍｍ（約４インチ）、さらに好ましくは、約３５ｍｍ（約１．５インチ）及び約７５ｍｍ（約３インチ）の間が好ましい。この構造は、特にゆるい便の漏れを防ぐために着用者の尻の周りできちんとした適合が行われることが好ましい。
閉鎖手段７８または７９の各々は、種々の結合パターンまたは接着材及び／またはのりを使用して超音波結合または熱／圧力結合のようなこの技術分野で公知のいくつかの装置を有する。閉鎖手段は、ポールミンのＨ．Ｂヒューラ社及びＨＬ−１２５８のようなＨ．Ｂヒューラ社によって製造されたような接着剤からなる接着剤ビードが好ましい。
第１図を参照すると、スペーサ装置７６は、遠位縁６６に隣接するサイドパネル６２の各々と作動的に関連する少なくとも１つの弾性部材７７を有することが好ましい。弾性部材７７は、通常の拘束されない形状で弾性部材７７がサイドパネル６２の遠位縁に有効に接触し、ギャザーを形成するように、弾性的に収縮可能な状態でサイドパネル６２に固定されることが好ましい。弾性部材７７は、１９７４年１月２６日にケネス．Ｂ．ブエルに付与された“使い捨ておむつの収縮可能なサイド部分”と題された米国特許第３，８６０，００３号に示されるように少なくとも２つの方法で弾性的に収縮可能な状態でサイドパネル６２に固定することができる。さらに、通常弾性部材の長さは、おむつの設計によって変化する。第１図に示した実施例において、弾性部材７７は、クロッチ領域２６のサイドパネル６２の全体の長さに沿って伸びているが、他の長さも考慮することができる。弾性部材７７は前方のウエスト領域２２には配置されないことが好ましい。端縁３２に隣接した遠位縁６６のギャザリングの欠如は、おむつを下側に引き、その結果、ウエスト領域でおむつ２０が下がり空隙が生じる力を低減する傾向がある。
第２図に示すように、弾性部材７７は、弾性取付装置８６でサイドパネル６２にそれを固定することによってサイドパネル６２に作動的に関連する。弾性取付装置８６は、可撓性であり、広がった状態で弾性部材７７を保持するために十分な接着性を有する。弾性部材７７は弾性部材７７の端部にのみ隣接するサイドパネル６２に固定されるが、サイドパネル６２に弾性部材７７の全体の長さを固定することが好ましい。（吸収材製品が（第５図に示すような）イヤフラップ５４を有する本発明の１つの好ましい実施例において、弾性部材７７は、後方のウエスト領域２４のイヤフラップ５４に結合される。）ここに説明した弾性取付装置８６は、フィンドレィ接着剤５８１としてウイスコンシン州のフィンドレー接着剤会社エルムグローブによって販売されているような高温溶融接着剤で製造されたのりのビードが好ましいが、弾性部材７７は公知の方法でいくつかの方法でサイドパネル６２に固定することができる。例えば、弾性部材７７は、種々の結合パターンを使用してサイドパネルに超音波結合または熱／圧力結合されるが、弾性部材７７は、サイドパネル６２に簡単にのりずけすることもできる。弾性部材７７をサイドパネル６２に配置し固定する方法の種々の詳細な説明は、１９７８年３月２８日にケネス．ブエルに付与された“使い捨て吸収材製品の所定の隔離部分に分離伸長弾性ストレンドを連続的に取り付ける方法及び装置”と題された米国特許第４，０８１，３０１号、１９８１年３月３日にダニーＬ．ストリックランド、及びロナルドＢビッシャに付与された“吸収材ブリーフ”と題された米国特許第４，２５３，４６１号、に示されており、これらの双方は、参照によりここに示されている。１つまたはそれ以上の（複数の）弾性部材７７が各サイドパネル６２を弾性化するために使用することができる。１つの好ましい実施例において、４つの弾性部材７７は、各サイドパネルを弾性化するために使用することができる。
適当な弾性部材７７は、Ｌ−１９００のゴム成分としてバージニア州スチュワートのエースタンプトンゴム会社から市販されている１．５ｍｍの０．１８ｍｍの断面を有し、天然ゴムから製造される弾性ストランドである。他の適当な弾性部材７７は、ローデアイランドのミドルタウンのフルフレックス社によって商標名フルフレックス９４１１として販売されているような天然ゴムから製造することができる。またこの弾性部材７７は、この技術分野でよく知られているような熱収縮材料を有する。他の適当な弾性材料は、弾性フィルム、ポリウレタンフィルム、リクラ、エラストマー接着剤、エラストマーフォーム、及び成形弾性スクライムを有する公知の広範な材料を有する。さらに、弾性部材は複数の形状をとる。例えば、弾性部材７７の幅は、変化する。弾性部材は、弾性材料の１つのストランド、またはいくつかの平行なまたは非平行なストランドを有し、弾性部材７７は、直線または曲線である。
別の例としてスペーサ装置７６は、いくつかの他の部材を有する。例えば、サイドパネル６２は、各サイドパネルに配置された固定装置を有する。固定装置は、遠位縁が身体に面する面４０から離れるように十分に堅い。硬化装置用の適当な材料は、フォーム、不織布、バッティング、ポリエチレンフィルム、スプレーのり、フォームエラストマー、ポリエステル、ポリウレタン、または大きなロフト材料を有する。
またスペーサ装置７６はおむつ２０の長さに比較して遠位縁６６の長さを短くする装置を有する。遠位縁６６は、遠位縁６６に折曲線またはプリーツを形成することによって短くされる。この折曲線またはプリーツは接着剤または熱シーリングのような当業者に公知の保持装置によって固定される。別の例として、遠位縁６６の一部が切断され、その結果縁部は一緒にされてバッドまたはラップ結合部を形成する。また遠位縁６６は、おむつ２０が広がった状態にあるとき、遠位縁がある場所とは異なる場所で遠位縁６６の長さの一部をトップシート３８に取り付けることによって短くされる。この技術分野で知られている他の短かくする装置も使用することができる。
おむつ２０を着用者に適用する方法は、使用する実施例に依存して変化する。よって、異なる実施例を使用する好ましい方法は、以下にさらに詳細に説明する。しかしながら、各場合において、サイドパネル６２の遠位縁６６は、遠位縁６６が後方ウエスト領域２６の近位縁６４の外側に配置される。これは、着用者の尻の周りにガスケット形状を提供する。サイドパネル６２の折曲線６５は、前方のウエスト領域２２において長手方向の縁部の内側に残る。よって、サイドパネル６２は、曲がり、クロッチ領域の“動きの小さい”領域で直立した障壁カフを形成する。
第５図は、後方のウエスト領域２４のサイドパネル６２の遠位縁から横方向外側に伸びているイヤフラップ５４を有する本発明の１つの他の実施例を示す。イヤフラップ５４は、前方ウエスト領域２２及び後方ウエスト領域２４に沿って着用者の腰を包囲する構造を提供する。各イヤフラップ５４は、近位縁５１及び遠位縁５３を有する。好ましい実施例において、少なくとも１つのイヤフラップ５４は、サイドパネル６２の各々に結合される。イヤフラップ５４の近位縁５１は、サイドパネル６２の遠位縁６６に結合されることが好ましい。イヤフラップ５４の近位縁５１は、バックシート４２の下着に面する面４１に、またはトップシート３８の身体に面する面４０に、またはトップシート３８とバックシート４２の間に結合される。イヤフラップは、この技術分野で公知の手段によってサイドパネル６２に接続され、例えば、イヤフラップ５４は、加熱または非加熱接着剤、加熱結合、圧力結合、超音波結合、動的機械的結合、またはこの技術分野で公知の他の方法を使用してサイドパネル６２に連続的にまたは間断的に結合される。
イヤフラップ５４は、多数の異なる寸法、形状、構成及び材料をとる。好ましい実施例において、第５図に示すように、イヤフラップは、形状においてほぼ矩形であり、横方向に約２乃至８インチ（５乃至２０ｃｍ）の寸法及び長手方向に約２乃至８インチ（５乃至２０ｃｍ）の間の寸法を有する。その寸法は、イヤフラップ５４がリラックスするか、または伸長しない状態の間に測定される。さらに、イヤフラップ５４は、１つの部分の材料を有し、各イヤフラップを形成するために作動上協動する２つまたはそれ以上の部分を有する。
イヤフラップ５４は、少なくとも横方向に伸長可能であることが好ましく、適当な伸長可能材料、拡張可能材料、またはエラストマー材料から形成されることが好ましい。（ここに使用するような、用語の“伸長可能”は、少なくとも一方の寸法において増大する材料を言う。用語の“伸長可能”は、材料に伸長力が適用されるとき、伸長可能であり、伸長するときにある抵抗を有する材料を言う。用語の“エラストマー”は、力が解放された後、力が適用されたとき、元の寸法に戻るとき、少なくとも一方の方向に伸びる材料を言う。イヤフラップ５４に使用するために特に適当であると分かっている１つのエラストマー材料は、カバーストック層の間に挟まれたエラストマーフィルムを有する２つのカバーストック層の薄層である。ここに使用するような用語の“カバーストック”は、織物または不織布を含む。適当なカバーストック材料は、Ｐ−８によって指定されたマサチューセッツ州のワールポロの国際製紙会社の一部門のベルテック社によって製造された不織布である。カバーストックの間に挟まれた適当なフィルムの一例はＩＬ．レイクチューリッヒのエクソン社によって製造されたエラストマーフィルムＥＸＸ−５００である。イヤフラップ５４として使用する適当な他の材料は、不織ウエブ、ポリマーフイルムを含むフィルム、フォーム、フィルム薄層、非織物薄層、またはゼロストレイン薄層を含む薄層材料、エラストマー、エラストマースクライム、またはこの技術分野で公知の材料の組み合わせである。１９９２年９月２９日にブエル等に付与された“予め配置された弾性可撓性ヒンジを有する動的エラストマーウエストを備えた吸収材製品”と題された米国特許第５，１５１，０９２号及び１９９２年１２月１日にウエーバー等に付与された“弾性を付与するゼロストレインストレッチ薄層ウエブを次第に伸長する方法”は、適当なゼロストレイン薄層及び所定のストレッチ薄層を示しており、参照によりここに組み込まれている。
さらに、イヤフラップ５４はそれらの遠位縁５３に隣接して配置された固定部材５６を有することが好ましい。
固定装置５６は機械的な固定具、フック、及びループタイプの固定具、圧力完納接着剤及び接着材料のようなこの技術分野でよく知られている多数の固定部材を有するが、本発明の好ましい実施例において、固定部材５６はテープタブを有することが好ましい。テープタブ５６は１９７４年１１月１９日にケネス．Ｂ．ブエルに付与された“使い捨ておむつのテープ固定装置”と題された米国特許第３，８４８，５９４号に説明されているようなこの技術分野でよく知られているテープタブである。機械的な固定装置を含む他の固定装置の例は、１９８９年９月２６日にスクリップスに付与された米国特許第４，８６９，７２４号、１９９３年９月７日にウエル、ブエル、クレア及びファルコンに付与された米国特許第５，２４２，４３６号に示されており、それらの各々は参照によりここに組み込まれている。
イヤフラップ５４を有する本発明の実施例は、次のように着用者に適合することが好ましい。サイドパネル５４は、パッキングのために折られた形状（図示せず）から元のように折り戻され、後方のウエスト領域のサイドパネルの遠位縁がサイドパネルの近位縁の外側に配置され、それによってサイドパネルを傾けるように反対側に側方外側に引かれる。後方のウエスト領域２４は、着用者の背中の下に配置され、おむつの残りは着用者の足の間に引かれる。前方のウエスト領域２２は着用者の腰の前方にわたって配置される。イヤフラップ５４は、着用者のウエストの周りを包囲し、サイドパネルは、着用者の寸法及び形状に適合するように張力がかけられ、伸長される。イヤフラップ５４はイヤパネル５４の遠位縁５３に隣接するように配置された固定部材５６によって前方のウエスト領域２２に固定される。
第６図は、フロントウエスト領域２２のサイドパネル６２の近位縁６４から側方外側に伸びる前方ウエスト領域のイヤフラップ５５を有する本発明の好ましい実施例を示す。前方のウエスト領域のイヤフラップ５５は、後方のウエスト領域２４に配置されたイヤフラップ５４と共に着用者のウエストを包囲する構造を提供する。さらに、前方のウエスト領域のイヤフラップ５５は、吸収材材料が着用者に適合されるとき、サイドパネル６２を曲げる助けとなる構造を提供する。各フロントウエスト領域のイヤフラップは、内側の縁部８４と外側の縁部８５とを有する。好ましい実施例において、少なくとも１つの前方のウエスト領域のイヤフラップ５５はサイドパネル６２の各々に結合される。好ましくは、内縁８４は、サイドパネル６２に結合される。内縁８４は、第１のセグメント９０、第２のセグメント９２、第３のセグメント９４またはセグメントの組み合わせに接続される。好ましい実施例において、各フロントウエスト領域のイヤフラップ５５は、第１のセグメントと第２のセグメントとの間に配置され、双方のセグメントに結合される。
前方のウエスト領域のイヤフラップ５５は、多数の異なる寸法、形状、及び材料をとり、後方のウエスト領域２４に配置されたイヤフラップ５４に関して上述したような技術分野で知られている任意の取付装置によっておむつ２０に結合される。さらに、前方のウエスト領域のイヤフラップ５５は、後方のウエスト領域２４に配置されたイヤフラプ５４に永久的に接続されてプルアップタイプの吸収材製品を形成する。
第７図及び第８図は、さらにベルトを有する本発明の他の実施例を示す。第７図に示すように、ベルト１２０は、おむつ２０に永久的に取り付けることができる。第８図に示すように、別の案として、ベルト１２０は使用中におむつ２０に解放可能に固定される再使用可能な分離部材である。各場合において、ベルト１２０は、おむつ２０の端縁３２に隣接して後方のウエスト領域２４に配置されることが好ましい。ベルト１２０は、多数の異なる寸法、形状、構成及びこの技術分野でよく知られている材料をとる。本発明と共に使用するのに適したベルトを有する吸収材製品の一例は、１９９０年１０月２３日にギブソン等に付与された“取り出し可能な２つの部品の吸収材下着”と題された米国特許第４，９６４，８６０号に示されている。
第７図に示すように、さらに好ましいベルトを有する本発明の実施例は、前方のウエスト領域２２に配置された固定部材を有する。これらの前方ウエスト領域固定部材１２２は、おむつ２０を着用者に適合するとき、前方のウエスト領域２２を後方のウエスト領域２４またはベルト１２０に固定する装置を提供する。好ましい実施例において、少なくとも１つの前方のウエスト領域固定部材１２２は前方のウエスト領域２２に配置されている。さらに詳細には、第７図及び第８図に示すように、前方のウエスト領域固定部材は、前方ウエスト領域２２のおむつの各長手方向縁部３０に隣接して配置されている。前方ウエスト領域固定部材１２２は、多数の異なる寸法、形状及び材料をとる。１つの好ましい実施例において、前方ウエスト領域固定部材１２２は、圧力感応接着剤を有する。別の例として、前方ウエスト領域固定部材１２２は、上述した米国特許第４，９６４，８６０号に説明されているようなフック及びループタイプの固定材料を有する。
本発明のベルト付きおむつの形状は、まずサイドパネル６２を曲げることによって着用者に適合される事が好ましい。これは、後方のウエスト領域２４のサイドパネル６２で側方外側に引くか、ベルト１２０の端部で側方外側に引くことによって着られ、これは後方のウエスト領域２４でサイドパネル６２で広がるように張力が加えられる。おむつ２０の後方のウエスト領域２４は、着用者の背中の下に配置される。おむつは前方のウエスト領域２２が着用者の前方にわたって配置されるように着用者の足の間でおむつ２０の残りを引く。次にベルト１２０は、着用者の腰の周りに固定され、前方のウエスト領域固定部材１２２は、ベルトの間に固定され、前方のウエスト領域２２と後方のウエスト領域２４との間に閉鎖体を形成する。この構成において、後方ウエスト領域２４のサイドパネル６２の遠位縁６６は、着用者の尻の周りにガスケットを提供し、クロッチ領域２６の動きの小さい領域で直立する屈曲障壁カフを提供する。
第９図は、吸収材製品を着用者のパンツに固定する手段を有する本発明のパッドの実施例を示す。好ましい実施例において、パッド２０は、前方ウエスト領域固定部材１１２と、後方ウエスト領域固定部材１１０とを有する。前方ウエスト領域固定部材１１２は、前方ウエスト領域２２のパッド２０の端縁３２に隣接して配置されることが好ましく、後方ウエスト領域固定部材１１０は、後方ウエスト領域２４のパッド２０の端縁に隣接して配置されている。接着剤、のり、機械的固定装置、フック及びループタイプの固定具または固定部材として使用されるこの技術分野で知られている他の固定装置を使用することができるが、圧力感応接着剤が好ましい。適当な接着剤は、接着剤は、１９９０年の４月１７日にオズボーン等に付与された“フラップ及び応力レリーフ手段を有する生理用ナプキン”と題された米国特許第４，９１７，６９７号に説明されている。もし圧力感応接着剤を使用する場合には、接着剤は、通常、接着剤が乾燥すること使用前に汚れるか、意図した表面以外の表面以外の表面に張り付くことを防止するために着脱可能なリリースライナでカバーされる。適当なリリースライナは、米国特許第４，９１７，６９７号に説明されている。このような目的のために使用される市販のリリースライナをここで使用することができる。適当なリリースライナの非制限的な例は、ＢＬ３０ＭＧ−ＡＳＩＬＯＸＥ１／０及びＢＬ３０ＭＧ−ＡＳＩＬＯＸ４Ｐ／０であり、その双方はＷＩ州のメナーシャのアクロシル社によって製造されている。
第９図によって示されるような本発明のパッド実施例は、まずサイドパネル６２を曲げることによって着用者に適合する。これは、後方のウエスト領域２４のサイドパネル６２で側方外側に引くことによって行われる。おむつは、リリースライナを外し、パッドを着用者の下着に配置する。好ましくは、前方のウエスト領域２２は、着用者の下着の前方に配置され、後方のウエスト領域２４は、着用者の下着の後方に配置されなければならない。この構成において、後方のウエスト領域２４のサイドパネル６２の遠位縁６６は、着用者の尻の周りでガスケッティング作用を行い、クロッチ領域２６のサイドパネル６２の遠位縁６６は着用者の動きの少ない領域で曲がった障壁カフを形成するまで直立する。
第１０図は、後方のウエスト領域の吸収材製品のシャシに接続されたイヤフラップ５４と、前方のウエスト領域の吸収材製品のシャシに接続された前方のウエスト領域イヤフラップ５５とを有する本発明のプルオン型ブリーフ形状を示している。第１０図に示すように、前方ウエスト領域イヤフラップ５５は、サイドシーム９５でイヤフラップ５４に接続されてプルオンタイプのブリーフを形成する。前方のウエスト領域のイヤフラップ５５及びイヤフラップ５４は互いに一体であり、よってサイドシーム９５によって結合する必要のない実施例も考慮することができる。（ここに使用する、用語“一体的”は、１つの部材におけるような１単位の、連続的な分離されない部材を言う。）プルオンタイプのブリーフの１つの好ましい実施例において、前方のウエスト領域のイヤグラップ５５は、第１のセグメント９０と第２のセグメント９２との間のサイドパネル６２に接続され、サイドパネル５４は、後方のウエスト領域でサイドパネル６２の遠位縁６６に接続される。この構成は、製品が着用されたとき、サイドパネル６２が曲がり適合性及び収納特性を改良する。
第１１図は、サイドパネル６２が結合部９８で前記トップシート３８と結合される分離部材から成る本発明の他の実施例を示す。サイドパネル６２は、第１のセグメント９０と、第２のセグメント９２と、第３のセグメント９４と第４のセグメント１００と、折曲線６５とを有する。第４のセグメント１００は、自由端１８５及び取付端部１９０を有し、好ましくは折曲線６５の内側に配置される。さらに、第４のセグメント１００は、少なくともクロッチ領域２６で自由端１８５に並置されたスペース装置１０２を有することが好ましい。スペース装置１０２は、トップシート３８から離れた第４のセグメント１００の少なくとも一部の空隙を空け、内側カフ１８０を形成する。おむつを着用者に配置するとき、内側カフ１８０は、少なくともクロッチ領域２６で直立してトップシート３８上にたまった排泄物の流れに対して有効な障壁を提供する。
本発明を図示して説明したが、本発明の精神及び観点から逸脱することなく種々の他の変形及び改造を行うことができることは当業者によって明らかである。よって、このような本発明の範囲にある変形及び改造を請求の範囲においてカバーするものである。
【図１】
0003705813.tif 000002
【図２】
0003705813.tif 000003
【図３】
0003705813.tif 000004
【図４】
0003705813.tif 000005
【図５】
0003705813.tif 000006
【図６】
0003705813.tif 000007
【図７】
0003705813.tif 000008
【図８】
0003705813.tif 000009
【図９】
0003705813.tif 000010
【図１０】
0003705813.tif 000011
【図１１】
0003705813.tif 000012